(57)【要約】【課題】ダイバーシチ受信装置の通信品質を高める。【解決手段】アンテナ１ａ、ＡＧＣ回路２ａ、受信回路３ａからなる第１の無線受信手段と、アンテナ１ｂ、ＡＧＣ回路２ｂ、受信回路３ｂからなる第２の無線受信手段とにより受信を行って、レベル比較回路４により受信レベルの比較を行い、スイッチ５によりレベルが高いほうの系を選択し、選択された系で取得されたデータをデータ処理回路で処理してから出力する。レベル比較回路４は、受信回路３ａ、３ｂが出力するレベル情報と、ＡＧＣ２ａ、２ｂが出力する増幅前の受信レベルを表す受信信号強度指標（ＲＳＳＩ）の情報とを参照して、レベルの比較判定を行う。増幅前のレベルを考慮することで、受信レベルの比較を、より正確に行うことができる。【選択図】  図１
2005039479.tif 000002
【特許請求の範囲】
【請求項１】
アンテナから入力されたマルチキャリア伝送方式の受信信号のレベルを検出して該レベルを表すアンテナレベル情報を出力するアンテナレベル情報出力回路、前記受信信号を所定範囲のレベルになるようにレベル調整して出力する自動利得制御回路、および前記自動利得制御回路が出力する信号からサブキャリアごとのデータを取得して出力するとともに、前記信号のサブキャリアごとのレベルを検出して該レベルを表すサブキャリアレベル情報を出力する受信回路をそれぞれ有する複数の無線受信手段と、
前記各無線受信手段の前記アンテナレベル情報出力回路が出力する前記アンテナレベル情報を利用して前記各無線受信手段の前記受信回路が出力する前記サブキャリアレベル情報が表すレベルの比較をサブキャリアごとに行い、該比較の結果に基づき前記複数の無線受信手段の中の一の無線受信手段をサブキャリアごとに選択するレベル比較手段と、
前記レベル比較手段が選択した無線受信手段の受信回路が出力するデータを選択的に出力する選択出力手段とを備えることを特徴とするダイバーシチ受信装置。
【請求項２】
前記レベル比較手段は、前記サブキャリアレベル情報が表すレベルの値に前記アンテナレベル情報が表すアンテナレベルの値を乗じた値の比較を行い、該値が最も大きい無線受信手段を前記一の無線受信手段として選択することを特徴とする請求項１記載のダイバーシチ受信装置。
【請求項３】
前記無線受信手段を２系統備え、
前記レベル比較手段は、第１の無線受信手段のアンテナレベル情報出力回路が出力するアンテナレベル情報が表すアンテナレベルと第２の無線受信手段のアンテナレベル情報出力回路が出力するアンテナレベル情報が表すアンテナレベルの比に、前記第１の無線受信手段の受信回路が出力したサブキャリアレベル情報が表すレベルの値を乗じて得た値を、前記第２の無線受信手段の受信回路が出力したサブキャリアレベル情報が表すレベルと比較することによって、前記サブキャリアレベル情報が表すレベルの比較を行うことを特徴とする請求項１記載のダイバーシチ受信装置。
【請求項４】
前記レベル比較手段は、前記第１のアンテナレベル情報が表すアンテナレベルと前記第２のアンテナレベル情報が表すアンテナレベルの差が所定値よりも小さいという条件が満たされる場合を除いて、前記アンテナレベル情報を前記サブキャリアレベルが表すレベルの比較に利用することを特徴とする請求項３記載のダイバーシチ受信装置。
【請求項５】
前記レベル比較手段は、前記第１のアンテナレベル情報が表すアンテナレベルと前記第２のアンテナレベル情報が表すアンテナレベルのうち少なくとも一方のアンテナレベルが所定値よりも小さいという条件が満たされる場合を除いて、前記アンテナレベル情報を前記サブキャリアレベルが表すレベルの比較に利用することを特徴とする請求項３または４のいずれか１項に記載のダイバーシチ受信装置。
【請求項６】
デシベルを単位として表した値と該値を十進数に換算した値との対応付けを変換テーブルとして記憶する変換テーブル記憶手段をさらに備え、
前記レベル比較手段は、前記第１のアンテナレベル情報が表すアンテナレベルと前記第２のアンテナレベル情報が表すアンテナレベルの比をデシベルを単位として表した値として求め、該値を前記変換テーブル記憶手段が記憶する変換テーブルを参照することにより十進数に換算し、該換算により求められた値に前記第１の無線受信手段の受信回路が出力したサブキャリアレベル情報が表すレベルの値を乗ずることを特徴とする請求項３から５のいずれか１項に記載のダイバーシチ受信装置。
【請求項７】
前記レベル比較手段は、前記受信信号が、所定の制御情報を含むプリアンブルシンボルとユーザデータを含む１以上のデータシンボルとにより構成される信号である場合に、前記プリアンブルシンボルについて前記比較を行って前記一の無線受信手段を選択し、前記データシンボルについては前記サブキャリアごとに選択された無線受信手段と同じ無線受信手段を選択することを特徴とする請求項１から６のいずれか１項に記載のダイバーシチ受信装置。
【請求項８】
入力された受信信号から取得されたデータ、前記受信信号のレベルを表すレベル情報、および前記受信信号から検出された同期信号をそれぞれ出力する複数の無線受信手段と、
前記同期信号が検出された無線受信手段から出力された同期信号を受信し、受信した同期信号の中のいずれかの同期信号に基づいて、前記複数の無線受信手段がそれぞれ出力するレベル情報により表されるレベルの比較を行い、該比較の結果に基づき前記複数の無線受信手段の中の一の無線受信手段を選択するレベル比較手段と、
前記レベル比較手段が選択した一の無線受信手段の受信回路が出力するデータを選択的に出力する選択出力手段とを備えることを特徴とするダイバーシチ受信装置。
【請求項９】
前記レベル比較手段は、前記同期信号が検出された無線受信手段が出力するレベル情報を参照して前記レベルの比較を行い、前記同期信号が検出された無線受信手段の中から、出力したレベル情報が表すレベルが最も高い無線受信手段を前記一の無線受信手段として選択することを特徴とする請求項８記載のダイバーシチ受信装置。
【請求項１０】
請求項１から９のいずれか１項に記載されたダイバーシチ受信装置を一部として備える電子装置。
【発明の詳細な説明】
【０００１】
【発明の属する技術分野】
本発明は、ダイバーシチ受信装置、およびダイバーシチ受信装置を装置の一部として備える各種電子装置に関する。
【０００２】
【従来の技術】
無線伝送の分野では、送信された電波の一部がビルの壁面などに反射した結果、経路の異なる複数の電波が受信点に到達して干渉しあうマルチパスフェージングの問題が知られている。スペースダイバーシチは、マルチパスフェージング対策のための技術として一般に知られている技術である。スペースダイバーシチには、複数の受信系統によりそれぞれ受信した電波のうち品質の良い方を選択する切替方式と、複数の受信系統によりそれぞれ受信した電波を合成する合成方式がある。
【０００３】
近年、移動体通信などに用いられる変調方式として、直交周波数分割多重（ＯＦＤＭ：Ｏｒｔｈｏｇｏｎａｌ  ｆｒｅｑｕｅｎｃｙ  Ｄｉｖｉｓｉｏｎ  Ｍｕｌｔｉｐｌｅｘ）変調方式が注目されている。ＯＦＤＭ方式では、一連のデータを送信側で周波数帯域が隣接する複数の搬送波（サブキャリア）に分配してから変調して伝送する。受信側では、分配されたデータを合成することにより、送信側から送られた一連のデータを再生する。ＯＦＤＭのようなマルチキャリア伝送方式では、サブキャリアごとに上記切替えや合成を行う受信方式が提案されている（例えば、特許文献１、非特許文献１）。
【０００４】
【特許文献１】
特開平９−２８４１９１号公報
【非特許文献１】
浜住、伊藤、宮沢、「広帯域信号移動受信用大域分割型ダイバーシチ合成受信方式の特性」、電子情報通信学会論文誌  Ｂ−ＩＩ  Ｖｏｌ．Ｊ８０−Ｂ−ＩＩ  Ｎｏ．６  ｐｐ４６６−４７４、１９９７年６月
【０００５】
【発明が解決しようとする課題】
本発明は、切替型のスペースダイバーシチ方式を適用した受信装置その他の電子装置において、複数の受信系統により受信した信号のレベルを比較判定するときに生じる問題を解決し、正確な判定に基づいて常に最良の信号が選択されるようにすることを目的とする。
【０００６】
【課題を解決するための手段】
本発明は、上記目的を達成するための装置として、次の２種類のダイバーシチ受信装置を提供する。また、本発明は、次の２種類のダイバーシチ受信装置を構成要素として有する電子装置を提供する。
【０００７】
第１のダイバーシチ受信装置は、以下に説明する複数の無線受信手段、レベル比較手段および選択出力手段を備えることを特徴とする。
【０００８】
各無線受信手段は、アンテナレベル情報出力回路と、自動利得制御回路と、受信回路を備える。アンテナレベル情報出力回路は、アンテナから入力されたマルチキャリア伝送方式の受信信号のレベルを検出して、そのレベルを表すアンテナレベル情報を出力する回路である。自動利得制御回路は、受信信号を所定範囲のレベルになるようにレベル調整して出力する回路である。受信回路は、自動利得制御回路が出力する信号からサブキャリアごとのデータを取得して出力するとともに、自動利得制御回路が出力する信号のサブキャリアごとのレベルを検出して、そのレベルを表すサブキャリアレベル情報を出力する回路である。
【０００９】
レベル比較手段は、各無線受信手段のアンテナレベル情報出力回路が出力するアンテナレベル情報を利用して各無線受信手段の受信回路が出力するサブキャリアレベル情報が表すレベルの比較をサブキャリアごとに行い、比較の結果に基づき複数の無線受信手段の中の一の無線受信手段をサブキャリアごとに選択する手段である。例えば、サブキャリアレベル情報が表すレベルにアンテナレベル情報が表すアンテナレベルの値を乗じた乗算値の比較を行い、その値が最も大きい無線受信手段を前記一の無線受信手段として選択する。
【００１０】
選択出力手段は、レベル比較手段が選択した無線受信手段の受信回路が出力するデータを選択的に出力する選択出力手段とを備える。
【００１１】
無線受信手段の数が２系統である場合には、レベル比較手段は、第１の無線受信手段のアンテナレベル情報出力回路が出力するアンテナレベル情報が表すアンテナレベルと第２の無線受信手段のアンテナレベル情報出力回路が出力するアンテナレベル情報が表すアンテナレベルの比に、第１の無線受信手段の受信回路が出力したサブキャリアレベル情報が表すレベルの値を乗じて得た値を、第２の無線受信手段の受信回路が出力したサブキャリアレベル情報が表すレベルと比較することによって、サブキャリアレベル情報が表すレベルの比較を行うとよい。この場合、乗算回数が減り、処理が簡単になる。
【００１２】
また、レベル比較手段は、第１のアンテナレベル情報が表すアンテナレベルと第２のアンテナレベル情報が表すアンテナレベルの差が所定値よりも小さいという条件が満たされる場合を除いて、アンテナレベル情報をサブキャリアレベルが表すレベルの比較に利用してもよい。また、第１のアンテナレベル情報が表すアンテナレベルと第２のアンテナレベル情報が表すアンテナレベルのうち少なくとも一方のアンテナレベルが所定値よりも小さいという条件が満たされる場合を除いて、アンテナレベル情報を利用してもよい。不要な乗算処理を行わず処理を簡単にするためである。
【００１３】
さらに、ダイバーシチ受信装置に、デシベルを単位として表した値と該値を十進数に換算した値との対応付けを変換テーブルとして記憶する変換テーブル記憶手段を備え、レベル比較手段が、第１のアンテナレベル情報が表すアンテナレベルと第２のアンテナレベル情報が表すアンテナレベルの比をデシベルを単位として表した値として求め、その値を変換テーブル記憶手段が記憶する変換テーブルを参照することにより十進数に換算し、換算により求められた値に第１の無線受信手段の受信回路が出力したサブキャリアレベル情報が表すレベルの値を乗ずることを可能にしてもよい。デシベル値から十進数への換算には多くのビット数を要するが、変換テーブルによりこれが不要になるため、回路構成が簡素化される。
【００１４】
また、レベル比較手段は、受信信号が、所定の制御情報を含むプリアンブルシンボルとユーザデータを含む１以上のデータシンボルとにより構成される信号である場合に、プリアンブルシンボルについて前記比較を行って一の無線受信手段を選択し、データシンボルについては、サブキャリアごとに選択された無線受信手段と同じ無線受信手段を選択するようにしてもよい。
【００１５】
第２のダイバーシチ受信装置は、次の複数の無線受信手段、レベル比較手段および選択出力手段を備えることを特徴とする。各無線受信手段は、入力された受信信号から取得されたデータ、受信信号のレベルを表すレベル情報、および前記受信信号から検出された同期信号をそれぞれ出力する。
【００１６】
また、レベル比較手段は、同期信号が検出された無線受信手段から出力された同期信号を受信し、受信した同期信号の中のいずれかの同期信号に基づいて、複数の無線受信手段がそれぞれ出力するレベル情報により表されるレベルの比較を行い、比較の結果に基づき複数の無線受信手段の中の一の無線受信手段を選択する。例えば、同期信号が検出された無線受信手段が出力するレベル情報についてレベルの比較を行い、同期信号が検出された無線受信手段の中から、出力したレベル情報が表すレベルが最も高い無線受信手段を一の無線受信手段として選択する。
【００１７】
選択出力手段は、レベル比較手段が選択した一の無線受信手段の受信回路が出力するデータを選択的に出力する。
【００１８】
【発明の実施の形態】
以下、本発明の実施の形態について、図面を参照して説明する。
【００１９】
実施の形態１．
図１は、本発明のダイバーシチ受信装置の第１の実施の形態であるＯＦＤＭ受信装置の構成を示す図である。
【００２０】
図に示すように、ＯＦＤＭ受信装置１０は、アンテナ１ａと、アンテナ１ａから入力されたＯＦＤＭ信号を所定範囲のレベルになるようにレベル調整する自動利得制御（ＡＧＣ：Ａｕｔｏｍａｔｉｃ  Ｇａｉｎ  Ｃｏｎｔｒｏｌ）回路２ａと、ＡＧＣ回路２ａが出力する信号からサブキャリアごとのデータを取得する受信回路３ａとにより構成された第１の無線受信手段と、アンテナ１ｂ、ＡＧＣ回路２ｂ、受信回路３ｂにより構成され、第１の無線受信手段と同じように動作する第２の無線受信手段を備える。
【００２１】
ＯＦＤＭ受信装置１０は、さらに、第１の無線受信手段により受信した信号と第２の無線受信手段により受信した信号のレベルをサブキャリアごとに比較するレベル比較回路４を備える。また、ＯＦＤＭ受信装置１０は、レベル比較回路４が出力する比較結果に基づいて第１の無線受信手段と第２の無線受信手段のうち信号のレベルが高い受信系統を選択して、その受信系統から出力されるサブキャリアごとの受信データをサブキャリアごとに選択出力するスイッチ５（選択出力手段）を備える。また、ＯＦＤＭ受信装置１０は、スイッチ５により選択的に出力されたサブキャリアごとの受信データを合成することにより、送信側で送信された一連のデータを再生するデータ処理回路６を備える。
【００２２】
以下、第１の無線受信手段を構成するアンテナ１ａ、ＡＧＣ回路２ａ、受信回路３ａを例にあげて、第１および第２の無線受信手段の動作について説明する。
【００２３】
ＡＧＣ回路２ａは、アンテナ１ａから入力された信号のレベルが常に一定になるように増幅器の利得を制御して信号の増幅を行い、増幅された信号を出力する。アンテナ１ａから入力される信号のレベルは、ＡＧＣ回路２ａの増幅器により、例えば増幅器の検波出力の電圧などとして検出される。ＡＧＣ回路２ａは、検出した値に基づいて、増幅器の利得を調整する。
【００２４】
ここで、従来のダイバーシチ受信装置では、アンテナ１ａから入力される受信信号のレベルは、ＡＧＣ回路２ａの増幅器の利得制御の目的でのみ用いられていた。しかし、本実施の形態のＯＦＤＭ受信装置１０では、ＡＧＣ回路２ａは、アンテナ１ａから入力された信号のレベルから受信信号強度指標（ＲＳＳＩ：Ｒｅｃｅｉｖｅ  Ｓｉｇｎａｌ  Ｓｔｒｅｎｇｔｈ  Ｉｎｄｉｃａｔｉｏｎ）を計算し、図に示すように、アンテナレベル情報としてレベル比較回路４に供給する。すなわち、本実施の形態におけるＡＧＣ回路２ａは、ＡＧＣ回路として動作するとともに、アンテナレベル情報を取得し出力するアンテナレベル情報出力回路としても動作する。
【００２５】
受信回路３ａは、ＡＧＣ回路２ａから出力された信号を復調することによりサブキャリアごとに受信データを取得する。また、受信回路３ａは、ＡＧＣ回路２ａから出力される信号のレベルを検出する。信号のレベルは、受信回路３ａに含まれるＦＦＴ回路によりＡＧＣ回路２ａから供給された信号をフーリエ変換することにより求められた周波数スペクトルから、サブキャリアの周波数間隔ごとに信号のレベルを計算することによって求められる。詳細には、信号のレベルは、サブキャリアごとに信号の水平成分Ｉと直交成分Ｑを求め、式（１）に示すように水平成分Ｉの二乗と直交成分Ｑの二乗の和のルートを計算することにより得られる。
2005039479.tif 000003
但し、二乗計算は複雑であるため、本実施の形態では、式（１）に代えて、式（２）に示すような近似式を用いて計算を行っている。
ｋ番目のサブキャリアの信号レベル  ＝  （Ｉ＋Ｑ）ｋ  …  （２）
【００２６】
なお、式（１）、（２）に示すように、本明細書では、サブキャリアを番号ｋ（１〜Ｎ、但しＮはサブキャリアの総数）により区別するものとする。また、サブキャリアごとの信号のレベルは、受信信号全体のレベルと区別するため、以下、「サブキャリアレベル」と称することとする。
【００２７】
例えばサブキャリア数Ｎ＝６４である場合には、（Ｉ＋Ｑ）ｋ＝１〜（Ｉ＋Ｑ）ｋ＝６４までの、６４のサブキャリアレベルを表す情報（以下、サブキャリアレベル情報と称する）が、受信回路３ａから順次または同時に出力され、レベル比較回路４に供給される。
【００２８】
次に、レベル比較回路４について詳細に説明する。前述のように、レベル比較回路４には、ＡＧＣ回路２ａおよびＡＧＣ回路２ｂから出力されるアンテナレベル情報ＲＳＳＩと、受信回路３ａおよび受信回路３ｂから出力されるサブキャリアレベル情報（Ｉ＋Ｑ）が供給される。以下、第１の無線受信手段から供給された信号などには「１」の数字を、第２の無線受信手段から供給された信号などには「２」の数字を付すこととする。例えば、第１の無線受信手段から供給されるＲＳＳＩ情報はＲＳＳＩ１、第２の無線受信手段から供給されるサブキャリアレベル情報は（Ｉ２＋Ｑ２）ｋのように表記する。
【００２９】
図２は、レベル比較回路４の詳細な構成を示す図である。図中の破線７は、従来と異なる部分を示している。すなわち、従来のダイバーシチ受信装置のレベル比較回路では、受信回路からサブキャリアごとに供給されるサブキャリアレベル情報が、そのまま比較器８に入力され、比較されていた。しかし、ＯＦＤＭ受信装置１０のレベル比較回路４では、破線７に囲まれた部分に示されるように、受信回路３ａから供給されたサブキャリアレベル情報が表すレベル（Ｉ１＋Ｑ１）ｋに、ＡＧＣ回路２ａから供給されたアンテナレベル情報が示す受信信号強度指標ＲＳＳＩ１を乗算することにより得られた信号と、受信回路３ｂから供給されたサブキャリアレベル情報が表すレベル（Ｉ２＋Ｑ２）ｋに、ＡＧＣ回路２ｂから供給されたアンテナレベル情報が示す受信信号強度指標ＲＳＳＩ２を乗算することにより得られた信号とが、比較器８に入力される。これは、比較器８が、次の（３）式で表される値が１より大きいか小さいかを判定することに他ならない。
［（Ｉ１＋Ｑ１）×ＲＳＳＩ１］／［（Ｉ２＋Ｑ２）×ＲＳＳＩ２］…（３）
【００３０】
この構成によれば、次の問題点を解決することができる。前述のように、ＡＧＣ回路を搭載したダイバーシチ受信装置では、アンテナから入力された信号のレベルが低い場合でも、ＡＧＣ回路が出力する信号のレベルは、ほぼ一定になる。しかし、レベルが低くＡＧＣ回路により大幅に増幅された信号はノイズを多く含むため、スペクトル全域にわたり信号対雑音比（ＳＮ比）が小さくなる。すなわち、通信品質が劣る。
【００３１】
十分な通信品質を確保するためには、第１、第２の無線受信手段が出力する信号のうち、ＳＮ比が大きい方の信号を選択することが好ましい。しかし、ＡＧＣ回路が出力する信号のレベルはほぼ一定である。このため、レベル比較回路により単純に信号レベルの比較を行った場合、第１の無線受信手段が出力する信号が選択される可能性と、第２の無線受信手段が出力する信号が選択される可能性は、ほぼ同じと考えてよい。これは、ＳＮ比の小さい信号、すなわち通信品質が劣る信号が選択される可能性があることを意味している。
【００３２】
これに対し、本実施の形態のＯＦＤＭ受信装置１０では、レベル比較回路４は、ＡＧＣ回路２ａ、２ｂによりレベル調整される前の信号レベルを表すアンテナレベル情報を利用して、サブキャリアレベルの比較を行う。このため、受信回路３ａ、３ｂから出力されたサブキャリアレベル情報が同程度のレベルを表していたとしても、アンテナレベルが高い方の無線受信手段で受信された信号が選択される。すなわち、ＳＮ比の大きい方の信号が選択され、十分な通信品質を確保することができる。
【００３３】
ここで、図１および図２のレベル比較回路４は、以下に説明する図３のレベル比較回路９に置き換えることもできる。
【００３４】
前述のように、比較器８は、前述の（３）式が示す値に基づいて、レベルの大小を判定しているが、上記（３）式は、次の（４）式のように書き換えることができる。さらに、（４）式は、（５ａ）式あるいは（５ｂ）式のように書き換えることができる。
［（Ｉ１＋Ｑ１）／（Ｉ２＋Ｑ２）］×［ＲＳＳＩ１／ＲＳＳＩ２］…（４）
［（Ｉ１＋Ｑ１）×（ＲＳＳＩ１／ＲＳＳＩ２）］／（Ｉ２＋Ｑ２）…（５ａ）
（Ｉ１＋Ｑ１）／［（Ｉ２＋Ｑ２）×（ＲＳＳＩ２／ＲＳＳＩ１）］…（５ｂ）
この際、（３）式と（５ａ）、（５ｂ）式は実質的には同じであるため、比較器８は（５ａ）、（５ｂ）式が示す値に基づいても、レベルの大小を判定することができる。レベル比較回路９は、この関係を利用することにより処理を簡素化した回路である。
【００３５】
（３）式に基づいて回路を構成する場合には、レベル比較回路は、（Ｉ１＋Ｑ１）×ＲＳＳＩ１の計算と、（Ｉ２＋Ｑ２）×ＲＳＳＩ２の計算、すなわち２回の乗算を行う必要がある。しかし、（５ａ）式では、（Ｉ１＋Ｑ１）×（ＲＳＳＩ１／ＲＳＳＩ２）の１回の乗算を行うだけでよい。乗算に先立ち、ＲＳＳＩの比（ＲＳＳＩ１／ＲＳＳＩ２）を計算しておく必要があるが、ＲＳＳＩをデシベル値として処理すれば、ＲＳＳＩ１／ＲＳＳＩ２は引き算により簡単に求めることができる。また、計算をデシベル値で行う場合、一般に十進数で計算する場合に比べて扱う値は小さくなるため、計算に使用する記憶領域も少なくてよい。（５ｂ）式の場合も同様である。
【００３６】
以下、レベル比較回路９の構成および動作について説明する。レベル比較回路９は、図３に示すように、ＡＧＣ回路２ａから供給されたアンテナレベル情報ＲＳＳＩ１とＡＧＣ回路２ｂから供給されたアンテナレベル情報ＲＳＳＩ２について所定の判定処理を行って出力値ＡおよびＢを出力する判定回路１１を備える。
【００３７】
判定回路１１は、まず、ＡＧＣ２ａから供給された値ＲＳＳＩ１と、ＡＧＣ２ｂから供給された値ＲＳＳＩ２の比を求める。前述のように、ＲＳＳＩの比は、デシベル値の引き算を行うことにより簡単に求めることができる。判定回路１１は、この計算結果からＲＳＳＩ１がＲＳＳＩ２よりも大きいと判定した場合には、図に示すように出力値としてＡ＝ＲＳＳＩ１／ＲＳＳＩ２、Ｂ＝１というを値を出力する。一方、ＲＳＳＩ２がＲＳＳＩ１よりも大きいと判定した場合には、判定回路１１は、出力値としてＡ＝１、Ｂ＝ＲＳＳＩ２／ＲＳＳＩ１という結果を出力する。
【００３８】
図に示すように、受信回路３ａから供給されたサブキャリアレベル情報の値（Ｉ１＋Ｑ１）に対しては、出力値Ａが乗算される。また、受信回路３ａから供給されたサブキャリアレベル情報の値（Ｉ１＋Ｑ１）に対しては、出力値Ｂが乗算される。しかし、前述のように、ＡまたはＢのいずれか一方の値は１であるため、実質的には行われる乗算処理は１回である。
【００３９】
比較器８には、ＲＳＳＩが大きい方の系のサブキャリアレベルの値にＲＳＳＩの比を乗算した値と、ＲＳＳＩが小さい方の系のサブキャリアレベルの値とが入力される。比較器８は、入力された２つの値の比、すなわち（５ａ）あるいは（５ｂ）式が表す値に基づいて、レベルの大小を判定する。
【００４０】
以上に説明したように、（５ａ）式、（５ｂ）式に基づいて構成されたレベル比較回路９は、回路の構成および処理ともに、レベル比較回路４よりも簡単になる。
【００４１】
次に、判定回路１１の他の処理例を示す。以下に示す例は、アンテナレベル情報を利用することにより得られる効果が大きい場合にのみ、レベル比較回路９が乗算処理を行うようにした例である。判定回路１１は、乗算処理が不要と判定した場合には、出力値Ａ，Ｂをいずれも１に設定する。図３に示す回路構成から明らかであるように、判定回路１１の出力値がＡ＝１、Ｂ＝１の場合には、実質的には乗算処理は行われない。
【００４２】
判定回路１１は、以下の３つの条件が満たされているか否かを判定する。第１の判定は、ＯＦＤＭ受信装置の設定が、ダイバーシチ受信においてアンテナレベル情報（ＲＳＳＩ）を考慮するという設定になっているか否かの判定である。例えば、アンテナにおける受信レベルが正しく検出できず、アンテナレベル情報が不正確な場合には、アンテナレベル情報を利用することは必ずしも通信品質の向上にはつながらず、むしろ品質を劣化させる可能性がある。そこで、ＯＦＤＭ受信装置の使用者が所定の操作を行うことにより、アンテナレベル情報を考慮するか否かを選択できるようにしておく。
【００４３】
上記所定の操作により設定された設定値は、ＯＦＤＭ受信装置が備えるレジスタ内に記憶される。あるいは、ＯＦＤＭ受信装置の使用者が必要に応じて外部から判定回路１１に対して指示信号を供給できるようにしてもよい。判定回路１１は、レジスタ内の値または供給された指示信号が示す値を参照することにより判定を行う。ＲＳＳＩ考慮の指定がされていなければ、判定回路１１は、Ａ＝１、Ｂ＝１を出力する。
【００４４】
第２の判定は、ＲＳＳＩ１とＲＳＳＩ２の差が所定値より小さいか否かの判定である。差が所定値よりも小さい場合には、２つのアンテナの受信レベルが均等であるため、どちらの無線受信手段の信号が選択されても通信品質に差は生じない。したがって、乗算処理による補正は不要である。
【００４５】
判定回路１１は、式（６）に示すように、ＲＳＳＩ１（ｄＢ）とＲＳＳＩ２（ｄＢ）の差の絶対値と所定値Ｘとを比較することにより、第２の判定を行う。所定値Ｘは、例えば１〜２ｄＢ程度とする。
｜ＲＳＳＩ１（ｄＢ）―ＲＳＳＩ２（ｄＢ）｜  ＜  Ｘ  …（６）
式（６）の条件が満たされている場合には、判定回路１１は、Ａ＝１、Ｂ＝１を出力する。なお、第２の判定は、例えば十進数表現のＲＳＳＩ１とＲＳＳＩ２の比を所定値と比較することによって判定してもよい。例えば、ＲＳＳＩ１とＲＳＳＩ２の比が１に近い値（例えば０．９〜１．１の範囲の値）である場合に、判定回路１１がＡ＝１、Ｂ＝１を出力するようにしてもよい。
【００４６】
第３の判定は、サブキャリアレベルの値（Ｉ１＋Ｑ１）、（Ｉ２＋Ｑ２）が所定値よりも小さいか否かの判定である。アンテナにより受信された信号は、正常な動作の下ではＡＧＣ回路により一定レベルに保たれるので、サブキャリアレベルの値が小さい場合には、そのサブキャリアレベル情報の信頼度は低いと考えられる。この場合、信頼度の低い情報をダイバーシチ処理に用いることは好ましくない。
【００４７】
判定回路１１は、式（７）に示すように、サブキャリアレベル（Ｉ１＋Ｑ１）、（Ｉ２＋Ｑ２）と、所定値Ｙとをそれぞれ比較することにより、第３の条件を判定する。所定値Ｙは、例えば５とする。
（Ｉ１＋Ｑ１）  ＜  Ｙ  または  （Ｉ２＋Ｑ２）  ＜  Ｙ  …  （７）
式（７）の条件が満たされている場合には、判定回路１１は、Ａ＝１、Ｂ＝１を出力する。
【００４８】
図４は、上記３つの判定を行う判定回路１１の処理を示すフローチャートである。判定回路１１は、まずステップＳ１０１において前記第１の判定を行う。判定回路１１は、ＲＳＳＩ考慮が指定されていない場合には、ステップＳ１０７においてＡ＝Ｂ＝１を出力する。ＲＳＳＩ考慮が指定されている場合には、ステップＳ１０２の処理へと進む。
【００４９】
ステップＳ１０２では、前記第２の判定が行われる。判定回路１１は、前記式（６）の条件が満たされていれば、ステップＳ１０７においてＡ＝Ｂ＝１を出力し、満たされていなければ、ステップＳ１０３の処理へと進む。
【００５０】
ステップＳ１０３では、前記第３の判定が行われる。判定回路１１は、前記式（７）の条件が満たされていれば、ステップＳ１０７においてＡ＝Ｂ＝１を出力し、満たされていなければ、ステップＳ１０４の処理へと進む。
【００５１】
ステップＳ１０４、Ｓ１０５およびＳ１０６の処理は、図３を参照して説明した処理と同じである。すなわち、判定回路１１は、ステップＳ１０４においてＲＳＳＩ１とＲＳＳＩ２の大小を比較し、ＲＳＳＩ１がＲＳＳＩ２よりも大きければステップＳ１０６において、出力値としてＡ＝ＲＳＳＩ１／ＲＳＳＩ２、Ｂ＝１という値を出力する。一方、ＲＳＳＩ２がＲＳＳＩ１よりも大きければ、ステップＳ１０５において、出力値としてＡ＝１、Ｂ＝ＲＳＳＩ２／ＲＳＳＩ１という値を出力する。
【００５２】
次に、上記ステップＳ１０４、Ｓ１０５およびＳ１０６の処理を、さらに簡単にするための工夫について説明する。前述のようにＲＳＳＩの比はデシベル値として計算する場合には引き算として簡単に求めることができる。しかし、判定回路１１の出力値ＡあるいはＢは、サブキャリアレベル（Ｉ１＋Ｑ１）あるいは（Ｉ２＋Ｑ２）と乗算されるため、判定回路１１は、出力値ＡあるいはＢを十進数表現の値として出力する必要がある。
【００５３】
そこで、デシベル計算したＲＳＳＩの比を簡単に十進数表現の値に変換できるように、予め、図５に示すような変換テーブルをメモリあるいはレジスタに記憶しておく。これにより、ステップＳ１０５あるいはＳ１０６の処理では、十進数表現への変換のための計算が不要になり、単に変換テーブルを参照することによってデシベル値を十進数に置き換えればよいことになる。
【００５４】
以下、変換テーブルについて、ＲＳＳＩの値が０から１４７ｄＢまでの値をとり得る場合を例にあげて、さらに説明する。なお、Ｉ、Ｑは、それぞれ１２ビットの整数であり、Ｉ＋Ｑは、十進数表現で０〜４０９５までの値をとり得るものとする。この場合、式（４）の（Ｉ１＋Ｑ１）／（Ｉ２＋Ｑ２）の値は、十進数表現で、４０９５〜１、０、１／２〜１／４０９５のいずれかの値となる。
【００５５】
ＲＳＳＩの値が０から１４７ｄＢまでの値をとり得る場合には、ＲＳＳＩの比、すなわちＲＳＳＩ１（ｄＢ）−ＲＳＳＩ２（ｄＢ）の絶対値もまた、０から１４７ｄＢまでの範囲の値をとり得ることになる。１４７ｄＢは、１０進数表現に直すと、１０ｅｘｐ（１４７／１０）≒５．０１２×１０ｅｘｐ（１４）であるため、この値を変換テーブルに記憶しようとすると多くのビット数を要することになる。しかし、以下の関係に着目した場合には、変換テーブルの記憶に要するビット数を大幅に節減することができる。
【００５６】
（Ｉ１＋Ｑ１）／（Ｉ２＋Ｑ２）が４０９５〜１の範囲の値で、ＲＳＳＩの比が１／４０９６（＝−３６．１ｄＢ）以下の場合には、（４）式の値は、常に１以下になる。一方、（Ｉ１＋Ｑ１）／（Ｉ２＋Ｑ２）が４０９６以上の値で、ＲＳＳＩの比が４０９６（＝３６．１ｄＢ）以上の場合には、（４）式の値は、常に１以上になる。したがって、ＲＳＳＩ１（ｄＢ）−ＲＳＳＩ２（ｄＢ）の絶対値が３６．１ｄＢ以上の場合には、ステップＳ１０５における出力値Ｂ、あるいはＳ１０６における出力値Ａとして、必ずしもステップＳ１０４において求めたＲＳＳＩの比を十進数に変換した正確な値を出力しなくても、比較器８が判定を誤ることはない。
【００５７】
そこで、例えば図５に例示する変換テーブルのように、ＲＳＳＩ１（ｄＢ）−ＲＳＳＩ２（ｄＢ）の絶対値が３７ｄＢ以上の場合に対応する値としては、一律に３７ｄＢの変換値である５０１１を記憶しておけばよい。但し、３６ｄＢの対応値との区別がつけば、この値は必ずしも５０１１でなくてもよい。例えば、５０１１という値を記憶するためには１３ビット必要であるが、４０９５とすれば１２ビットで足りる。よって、ＲＳＳＩ１（ｄＢ）−ＲＳＳＩ２（ｄＢ）の絶対値が３７ｄＢ以上の場合に対応する値として４０９５という値を記憶しておけば、変換テーブルの記憶に使用される記憶領域を節約することができる。
【００５８】
次に、比較器８により正確な比較を行うための、さらなる工夫について説明する。前述のように、本来式（１）により求めるべき受信レベルを、式（２）の近似式によって求めた場合、雑音による位相変動などが原因で、レベル比較回路が判定を誤ることがある。レベル比較回路の判定誤りは、データ処理回路６の処理にも影響する可能性がある。
【００５９】
そこで、受信回路３ａおよび３ｂが受信データを取得する度にレベル比較を行うのではなく、比較的正確に検出できたサブキャリアレベルの情報を、複数回の比較に利用することによって、判定誤りの可能性を低減する。
【００６０】
ＯＦＤＭのパケット信号は、図６に示すように、複数のシンボルにより構成されている。パケットの先頭に配置されるプリアンブルシンボルは、ＡＧＣ用シンボル、同期用シンボル、位相基準シンボルなど、通信制御に必要な各種シンボルを含むシンボルである。ユーザのデータはプリアンブルシンボルに続いて配置される（図の第１、第２、第３シンボル）。
【００６１】
前述のように、受信回路３ａ、３ｂは、シンボルごとにＦＦＴ演算を行ってサブキャリアレベルを取得し、サブキャリアレベル情報をレベル比較回路４に供給する。しかし、レベル比較回路４は、第１、第２、第３シンボルについては、供給されたサブキャリアレベル情報ではなく、プリアンブルシンボルについて取得されたサブキャリアレベル情報を利用してレベルの大小の判定を行う。パケットの先頭部分は位相変動の影響を受けにくく、式（１）と式（２）の差が比較的小さいことを利用したものである。
【００６２】
実施の形態２．
図７は、本発明のダイバーシチ受信装置の第２の実施の形態であるＯＦＤＭ受信装置の構成を示す図である。図に示すように、ＯＦＤＭ受信装置２０は、アンテナ１ａ、アンテナ１ａが出力する信号からサブキャリアごとのデータを取得する受信回路２１ａからなる第１の無線受信手段と、アンテナ１ｂ、受信回路２１ｂにより構成され、第１の無線受信手段と同じように動作する第２の無線受信手段とを備える。
【００６３】
ＯＦＤＭ受信装置２０は、さらに、受信回路２１ａと受信回路２１ｂにおいてそれぞれ検出された出力信号のレベルを比較するレベル比較回路２２と、レベル比較回路２２が出力する判定結果に基づいて受信回路２１ａと受信回路２１ｂから出力される受信データのうちレベルが高い方の受信データを選択して出力するスイッチ５と、スイッチ５により選択出力されたサブキャリアごとのデータを合成することにより送信側で送信された一連のデータを再生するデータ処理回路６を備える。
【００６４】
以下、第１の無線受信手段を構成するアンテナ１ａ、受信回路２１ａを例にあげて、第１および第２の無線受信手段の動作について説明する。
【００６５】
受信回路２１ａは、アンテナ１ａから入力された信号を復調することによりサブキャリアごとに受信データを取得する。また、受信回路２１ａは、アンテナ１ａから入力された信号のレベルを検出する。信号のレベルは、受信回路２１ａに含まれる中間周波数増幅器の電界強度検出機能によって検出することができる。あるいは、受信回路２１ａに含まれるＦＦＴ回路によりアンテナ１ａから入力された信号をフーリエ変換することにより求められた周波数スペクトルから、サブキャリアの周波数間隔ごとに信号のレベルを計算することによって求められる。この場合の計算は、第１の実施の形態の受信回路３ａと同様の方法により行う。受信回路２１ａは、サブキャリアレベル情報を、同時または順次、出力して、レベル比較回路２２に供給する。
【００６６】
また、受信回路２１ａは、受信信号の開始タイミングや、受信信号に含まれるデータの区切りのタイミングを表す同期信号を生成し、レベル比較回路２２に供給する。詳細には、受信回路２１ａは、受信信号の先頭部分に付加されているプリアンブルシンボルの中に含まれる同期用シンボルを検出し、その検出タイミングに基づいて同期信号を発生させ、レベル比較回路２２に供給する。レベル比較回路２２、スイッチ５、およびデータ処理回路６は、いずれもこの同期信号に基づいて動作する。
【００６７】
但し、同期信号は前述のように受信信号から同期用シンボルを検出することにより生成されるため、受信信号のレベルが小さく同期用シンボルを検出できなければ、レベル比較回路２２には同期信号は供給されない。
【００６８】
従来のダイバーシチ受信装置では、同期信号を生成してレベル比較回路に供給する受信回路は、いずれか１つの受信回路と定められていた。このため、その受信回路を含む受信系統の受信信号のレベルが小さく、同期信号がレベル比較回路に供給されなかった場合には、ダイバーシチ受信装置は動作することができなかった。例えば、同期信号を生成する系のアンテナが外された場合などには、他方のアンテナが十分に強い電波を受信したとしても、レベル比較回路は動作しない。さらには、レベル比較回路の判定結果を参照して動作するスイッチも動作しないため、データ受信そのものが行われなくなる。
【００６９】
これに対し、本実施の形態におけるＯＦＤＭ受信装置２０の場合には、受信回路２１ａ、２１ｂの両方がレベル比較回路２２に同期信号を供給する機能を備えている。レベル比較回路２２は、受信回路２１ａ、２１ｂの両方から同期信号が供給された場合には、予め決められた一方の受信回路（例えば受信回路２１ａとする）からの同期信号を参照することにより動作する。あるいは、平均レベルが高い方の受信系統の同期信号を参照することにより動作してもよい。また、受信回路２１ａ、２１ｂのいずれか一方の受信回路が同期用シンボルを検出できず、一方の受信回路からしか同期信号が供給されなかった場合には、レベル比較回路２２は、供給された同期信号を参照することにより動作する。
【００７０】
このように、本実施の形態のＯＦＤＭ受信装置では、レベル比較回路２２に対し重複して同期信号を供給することによって、同期信号が供給されないことによる受信誤りや、装置の動作停止を防止することができる。
【００７１】
ここで、図７の構成では、データの選択出力はスイッチ５により制御されているが、図８に示すＯＦＤＭ受信装置３０のように、データ出力制御回路２４とデータ処理回路２３ａ、２３ｂの組合せによってデータの選択出力を実現してもよい。
【００７２】
図８の構成では、データ出力制御回路２４は、受信回路２１ａにより取得した受信データを選択するようレベル比較回路２２から指示を受けた場合にはデータ処理回路２３ａに対し受信回路２１ａが出力したサブキャリアごとの受信データを合成して出力するように指示し、データ処理回路２３ｂに対してはデータを出力しないように指示する。この場合、ＯＦＤＭ受信装置３０の出力は、受信回路２１ａを含む第１の無線受信手段により受信されたデータとなる。
【００７３】
一方、データ出力制御回路２４は、受信回路２１ｂにより取得した受信データを選択するようレベル比較回路２２から指示を受けた場合にはデータ処理回路２３ａに対しデータを出力しないように指示し、データ処理回路２３ｂに対しては受信回路２１ｂが出力したサブキャリアごとの受信データを合成して出力するように指示する。この場合、ＯＦＤＭ受信装置３０の出力は、受信回路２１ｂを含む第２の無線受信手段により受信されたデータとなる。
【００７４】
図７に示すダイバーシチ受信部２０の構成では、データが複数ビットで構成される場合、スイッチ５の構造が複雑になる。しかし、図８に示すダイバーシチ受信部３０の構成では、受信回路２１ａとデータ処理回路２３ａ、受信回路２１ｂとデータ処理回路２３ｂが、それぞれ直接接続されており、データ出力制御回路２４はデータ処理回路の出力のＯＮ／ＯＦＦを制御するだけでよい。したがって、回路の構造が簡単になる。なお、図８に示すデータ出力制御回路およびデータ処理回路２３ａ、２３ｂの構成は、第１の実施の形態に採用した場合にも、同様の効果を奏することは明らかである。
【００７５】
以上、２つの実施の形態と各実施の形態の変形例について説明したが、本発明について、他にも種々の実施の形態が考えられることは言うまでもない。例えば、上記各形態では、受信系統の数は２であったが、３以上の受信系統により受信を行う構成としてもよい。また、本発明は、ＯＦＤＭ受信装置に限らず、他のマルチキャリア方式の受信装置、あるいはシングルキャリア方式の受信装置にも適用可能である。
【００７６】
また、本明細書におけるダイバーシチ受信装置は、上記構成を有するあらゆる装置を意味し、装置の外観は問わない。すなわち、本明細書のダイバーシチ受信装置は、筐体を備えた箱形の受信装置としてのみならず、組込モジュールや、半導体チップとしても実施することもできる。
【００７７】
また、ダイバーシチ受信装置を備えた電子装置としては、携帯電話、携帯型情報端末、携帯型ゲーム機器、無線ＬＡＮを利用するパソコンなどがある。また、ホームエレクトロ二クスの分野では、無線通信機能を備えたビデオ、テレビ、冷蔵庫などの家電製品も提案されている。本発明は、そのような、あらゆる電子装置を対象とする。
【００７８】
【発明の効果】
本発明のダイバーシチ受信装置および電子装置は、複数の無線受信手段により受信した信号のレベルを比較する回路に対し、正確なレベル判定に必要な情報あるいは信号を供給することによって、判定の精度を高めるものである。これにより、ダイバーシチ受信機能が従来にも増して有効に機能し、通信の品質が高まる。
【図面の簡単な説明】
【図１】本発明のダイバーシチ受信装置の第１の実施の形態であるＯＦＤＭ受信装置の構成を示す図である。
【図２】図１のレベル比較回路の詳細な構成を示す図である。
【図３】レベル比較回路の他の構成例を示す図である。
【図４】判定回路の他の処理例を示すフローチャートである。
【図５】デシベル表記と十進数表記の変換テーブルの例を示す図である。
【図６】ＯＦＤＭ方式におけるパケット信号の構成概要を示す図である。
【図７】本発明のダイバーシチ受信装置の第２の実施の形態であるＯＦＤＭ受信装置の構成を示す図である。
【図８】選択出力手段の他の構成を示す図である。
【符号の説明】
１ａ，１ｂ  アンテナ、    ４，９  レベル比較回路、  ５  スイッチ、  ７  従来との相違箇所、  １０，２０，３０  ＯＦＤＭ受信装置、  Ａ，Ｂ  出力値、  Ｉ  信号の水平成分、  Ｑ  信号の直交成分、  ｋ  サブキャリア番号。
【図１】
2005039479.tif 000004
【図２】
2005039479.tif 000005
【図３】
2005039479.tif 000006
【図４】
2005039479.tif 000007
【図５】
2005039479.tif 000008
【図６】
2005039479.tif 000009
【図７】
2005039479.tif 000010
【図８】
2005039479.tif 000011